(57)【要約】【課題】低耐圧の部品を使用しつつ高電圧を出力できる電源装置等を提供する。【解決手段】直流電源Ｂ４１と、直流電源Ｂ４１により充電可能なチャージポンプコンデンサＢ４１と、負荷容量と共振可能な回収コイルＬ４１と、回路の接続状態を切り換えるスイッチＳ４１〜Ｓ４３と、を備える。スイッチＳ４１〜Ｓ４３は、チャージポンプコンデンサＢ４１を直流電源Ｂ４１により充電するとともに、コイルＬ４１と負荷容量との共振により出力電圧を遷移させる第１の状態と、第１の状態において充電されたチャージポンプコンデンサＢ４１を直流電源Ｂ４１の出力と直列に接続して出力電圧を直流電源Ｂ４１の電源電圧の２倍に固定する第２の状態と、回収コイルＬ４１と負荷容量との共振により出力電圧を遷移させる第３の状態と、の間で回路の接続状態を切り換える。【選択図】      図２
2004274827.tif 000002
【特許請求の範囲】
【請求項１】
直流電源と、
前記直流電源により充電可能なキャパシティと、
負荷容量と共振可能なインダクタンスと、
回路の接続状態を切り換える切り換え手段と、を備え、
前記切り換え手段は、前記キャパシティを前記直流電源により充電するとともに、前記インダクタンスと前記負荷容量との共振により出力電圧を遷移させる第１の状態と、前記第１の状態において充電された前記キャパシティを前記直流電源の出力と直列に接続して前記出力電圧を前記直流電源の電源電圧の２倍に固定する第２の状態と、前記インダクタンスと前記負荷容量との共振により前記出力電圧を遷移させる第３の状態と、の間で前記回路の接続状態を切り換えることを特徴とする電源装置。
【請求項２】
出力電圧を整流するための整流回路を備えることを特徴とする請求項１に記載の電源装置。
【請求項３】
表示パネルを駆動する表示パネル駆動装置において、
直流電源と、
前記直流電源により充電可能なキャパシティと、
負荷容量となる前記表示パネルの容量と共振可能なインダクタンスと、
回路の接続状態を切り換える切り換え手段と、を備え、
前記切り換え手段は、前記キャパシティを前記直流電源により充電するとともに、前記インダクタンスと前記負荷容量との共振により出力電圧を遷移させる第１の状態と、前記第１の状態において充電されたコンデンサを前記直流電源の出力と直列に接続して前記出力電圧を前記直流電源の電源電圧の２倍に固定する第２の状態と、前記インダクタンスと前記負荷容量との共振により前記出力電圧を遷移させる第３の状態と、の間で前記回路の接続状態を切り換えることを特徴とする表示パネル駆動装置。
【発明の詳細な説明】
【０００１】
【発明の属する技術分野】
本発明は、容量性負荷に対応する電源装置および容量性負荷となる表示パネルを駆動する表示パネル駆動装置に関する。
【０００２】
【従来の技術】
例えば、プラズマディスプレイパネルを駆動する駆動装置においては、プラズマディスプレイに高電圧の駆動パルスを印加する必要があるため、高出力電圧を得られる高電圧電源装置が用いられている。しかし、高電圧電源装置には高耐圧の部品が必要となり、コストが上昇するなどの問題がある。
【０００３】
【発明が解決しようとする課題】
本発明は、低耐圧の部品を使用しつつ高電圧を出力できる電源装置および表示パネル駆動装置を提供することなどを目的とする。
【０００４】
【課題を解決するための手段】
請求項１に記載の電源装置は、直流電源と、前記直流電源により充電可能なキャパシティと、負荷容量と共振可能なインダクタンスと、回路の接続状態を切り換える切り換え手段と、を備え、前記切り換え手段は、前記キャパシティを前記直流電源により充電するとともに、前記インダクタンスと前記負荷容量との共振により出力電圧を遷移させる第１の状態と、前記第１の状態において充電されたコンデンサを前記直流電源の出力と直列に接続して前記出力電圧を前記直流電源の電源電圧の２倍に固定する第２の状態と、前記インダクタンスと前記負荷容量との共振により前記出力電圧を遷移させる第３の状態と、の間で前記回路の接続状態を切り換えることを特徴とする。
【０００５】
請求項３に記載の表示パネル駆動装置は、表示パネルを駆動する表示パネル駆動装置において、直流電源と、前記直流電源により充電可能なキャパシティと、負荷容量となる前記表示パネルの容量と共振可能なインダクタンスと、回路の接続状態を切り換える切り換え手段と、を備え、前記切り換え手段は、前記キャパシティを前記直流電源により充電するとともに、前記インダクタンスと前記負荷容量との共振により出力電圧を遷移させる第１の状態と、前記第１の状態において充電されたコンデンサを前記直流電源の出力と直列に接続して前記出力電圧を前記直流電源の電源電圧の２倍に固定する第２の状態と、前記インダクタンスと前記負荷容量との共振により前記出力電圧を遷移させる第３の状態と、の間で前記回路の接続状態を切り換えることを特徴とする。
【０００６】
【発明の実施の形態】
以下、図１〜図５を参照して、本発明によるプラズマディスプレイパネル駆動装置の一実施形態について説明する。
【０００７】
図１（ａ）は本実施形態のプラズマディスプレイパネル駆動装置１００の構成を示すブロック図、図１（ｂ）はプラズマディスプレイパネル駆動装置１００により駆動されるプラズマディスプレイパネルの構成を示す図、図２は制御部の回路を示す回路図である。
【０００８】
図１（ａ）に示すように、本実施形態のプラズマディスプレイパネル駆動装置１００は、駆動パルスの発生を制御するための制御部１００Ａと、制御部１００Ａからの制御信号に基づいてプラズマディスプレイパネル１０を駆動する駆動部１００Ｂとを備える。
【０００９】
図１（ｂ）に示すように、プラズマディスプレイパネル１０は、互いに平行に設けられた列電極Ｄ１〜Ｄｍと、列電極Ｄ１〜Ｄｍに直交して設けられた行電極Ｘ１〜Ｘｎと、行電極Ｙ１〜Ｙｎとを備える。行電極Ｘ１〜Ｘｎおよび行電極Ｙ１〜Ｙｎは交互に配置され、一対の行電極Ｘｉ（１≦ｉ≦ｎ）および行電極Ｙｉ（１≦ｉ≦ｎ）により第ｉ番目の表示ラインを構成する。列電極Ｄ１〜Ｄｍおよび行電極Ｘ１〜Ｘｎ，Ｙ１〜Ｙｎは、放電ガスを封着するように対向する２枚の基板に、それぞれ形成されており、列電極Ｄ１〜Ｄｍと、一対の行電極Ｘ１〜Ｘｎおよび行電極Ｙ１〜Ｙｎとの交点に表示画素となる放電セルが構成される。
【００１０】
図２に示すように、プラズマディスプレイパネル駆動装置１００の駆動部１００Ｂは、行電極Ｘ１〜Ｘｎを駆動する行電極駆動部２０Ｘと、行電極Ｙ１〜Ｙｎを駆動する行電極駆動部２０Ｙと、列電極Ｄ１〜Ｄｍを駆動する列電極駆動部３０と、を備える。なお、図２では、１つの放電セルを構成する電極を、列電極Ｄ、行電極Ｘおよび行電極Ｙとして示している。
【００１１】
行電極駆動部２０Ｘは、Ｘサステインパルスをプラズマディスプレイパネル１０の行電極Ｘ１〜Ｘｎに同時に印加するサステインドライバ２１と、リセットパルスを発生させるリセットパルス発生回路２２と、を備える。
【００１２】
行電極駆動部２０Ｙは、Ｙサステインパルスをプラズマディスプレイパネル１０の行電極Ｙ１〜Ｙｎに同時に印加するサステインドライバ２３と、リセットパルスを発生させるリセットパルス発生回路２４と、スキャンパルスを行電極Ｙ１〜Ｙｎに順次印加するスキャンドライバ２５と、を備える。
【００１３】
列電極駆動部３０は、列電極Ｄ１〜Ｄｍに接続されたアドレスドライバ３１と、アドレスドライバ３１に向けて駆動パルスを供給するアドレス共振電源回路４０と、を備える。
【００１４】
図２に示すように、アドレスドライバ３１は、アドレス共振電源回路４０と行電極Ｙｉとの間に挿入されたスイッチＳ３１と、スイッチＳ３１と並列に接続されたダイオードＤ３１と、行電極Ｙｉを接地するためのスイッチＳ３２とを備える。
【００１５】
また、アドレス共振電源回路４０は、出力電圧がＶａ／２の直流電源Ｂ４１と、スイッチＳ４１〜Ｓ４３と、チャージポンプダイオードＤ４１と、整流ダイオードＤ４２と、チャージポンプコンデンサＣ４１と、回収コイルＬ４１と、コンデンサＣ４２とを備える。
【００１６】
なお、列電極駆動部３０に設けられた上記各スイッチを含む駆動部１００Ｂの各スイッチは、制御部１００Ａからの制御信号に基づいて制御されるスイッチング素子により構成されている。
【００１７】
次に、本実施形態のプラズマディスプレイパネル駆動装置１００の動作について説明する。
【００１８】
プラズマディスプレイパネル１０を駆動する期間としての１フィールドは、複数のサブフィールドＳＦ１〜ＳＦＮにより構成される。図３に示すように、各サブフィールドには、点灯させる放電セルを選択するアドレス期間と、そのアドレス期間において選択されたセルを所定時間点灯させ続けるサステイン期間とが設けられている。また、最初のサブフィールドであるＳＦ１の先頭部分には、前のフィールドでの点灯状態をリセットするためのリセット期間が設けられている。このリセット期間では、すべてのセルを発光セル（壁電荷が形成されているセル）に、または非発光セル（壁電荷が形成されていないセル）にリセットする。前者の場合には、後続のアドレス期間において所定のセルを非発光セルに切り換え、後者の場合には、後続のアドレス期間において所定のセルを発光セルに切り換える。サステイン期間はサブフィールドＳＦ１〜ＳＦＮの順に段階的に長くされており、点灯させ続けるサブフィールドの個数を変化させることにより、所定の階調表示が可能とされている。
【００１９】
図４に示す各サブフィールドのアドレス期間では、１ラインごとにアドレス走査が行われる。すなわち、第１のラインを構成する行電極Ｙ１に走査パルスが印加されると同時に、列電極Ｄ１〜Ｄｍに第１のラインのセルに対応するアドレスデータに応じたデータパルスＤＰ１が印加され、次に第２のラインを構成する行電極Ｙ２に走査パルスが印加されると同時に、列電極Ｄ１〜Ｄｍに第２のセルに対応するアドレスデータに応じたデータパルスＤＰ２が印加される。第３のライン以下についても同様に走査パルスおよびデータパルスＤ３が同時に印加される。最後に、第ｎのラインを構成する行電極Ｙｎに走査パルスが印加されると同時に、列電極Ｄ１〜Ｄｍに第ｎのラインのセルに対応するアドレスデータに応じたデータパルスＤＰｎが印加される。上記のようにアドレス期間では、所定のセルを発光セルから非発光セルに、または非発光セルから発光セルに切り換える。
【００２０】
このようにしてアドレス走査が終了すると、サブフィールドにおけるすべてのセルが、それぞれ発光セルあるいは非発光セルのいずれかに設定されており、次のサステイン期間においてサステインパルスが印加されるごとに発光セルのみ発光を繰り返す。図４に示すように、サステイン期間では行電極Ｘ１〜Ｘｎおよび行電極Ｙ１〜Ｙｎに対し、ＸサステインパルスおよびＹサステインパルスが、それぞれ所定のタイミングで繰り返し印加される。そして、最後のサブフィールドＳＦＮには、全セルを非発光セルに設定する消去期間が設けられている。
【００２１】
次に、図５を参照して、本実施形態のプラズマディスプレイパネル駆動装置１００において駆動パルスを発生させる際の動作について説明する。
【００２２】
プラズマディスプレイパネル駆動装置１００では、図２に示す駆動部１００Ｂ各部のスイッチを制御部１００Ａからの信号に基づいて所定のタイミングで切り換えることにより、駆動パルスを発生させる。以下に説明する各スイッチの切り替え制御は、制御部１００Ａからの制御信号に基づいて実行される。なお、図５では、リセット期間においてすべての放電セルを発光セルにリセットする例を示す。
【００２３】
図５に示すように、リセット期間（図３および図４）では、リセットパルス発生回路２２のリセットスイッチＳＸ−Ｒおよびリセットパルス発生回路２４のリセットスイッチＳＹ−Ｒを同時に所定時間オンする。
【００２４】
これにより、行電極Ｘ１〜Ｘｎおよび行電極Ｙ１〜Ｙｎに図５に示すような形状のリセットパルスが印加され、すべての放電セルに壁電荷が形成されて、全放電セルが発光セルにリセットされる。
【００２５】
図５に示すように、リセットスイッチＳＸ−ＲおよびリセットスイッチＳＹ−Ｒがオフすると、サステインドライバ２１のスイッチＳＸ−Ｇおよびサステインドライバ２３のスイッチＳＹ−Ｇがオンし、行電極Ｘ１〜Ｘｎおよび行電極Ｙ１〜Ｙｎの電位はアース電位に固定される（図２）。
【００２６】
次に、アドレス期間（図３および図４）では、スキャンドライバ２５のスイッチＳＹ−ｏｆｓがオンし、抵抗Ｒ３を介してサステインドライバ２３の出力ラインを−Ｖｏｆｓの電位に接続する。また、サステインドライバ２５のスイッチ２１をオフ→オン→オフの順序で、サステインドライバ２５のスイッチ２２をオン→オフ→オンの順序で、互に同期して切り換える（図２）。これにより、行電極Ｙｉの電位は「−Ｖｏｆｓ＋ＶＨ」→「−Ｖｏｆｓ」→「−Ｖｏｆｓ＋ＶＨ」の順序で変化する（図５）。すなわち、アドレス期間では、このような走査パルスが各行電極Ｙｉに順次印加されることになる。
【００２７】
またこのとき、アドレスドライバ３１およびアドレス共振電源回路４０の各スイッチを順次切り換えることにより、行電極Ｙｉの電位が「−Ｖｏｆｓ」に低下するタイミングに合わせて列電極Ｄ１〜Ｄｍにデータパルスを印加する。図６は、アドレスドライバ３１のスイッチＳ３１、スイッチＳ３２、アドレス共振電源回路４０のスイッチＳ４１〜Ｓ４３の切り換えタイミングとデータパルスの出力タイミングの関係を示す図である。
【００２８】
図６および図５に示すように、列電極駆動部３０では、行電極Ｙｉの電位が「−Ｖｏｆｓ」に低下するタイミング（時刻ｔ＝ｔ１）に合わせてアドレスドライバ３１のスイッチＳ３１をオフからオンに、アドレスドライバ３１のスイッチＳ３２をオンからオフに、それぞれ切り換え、列電極Ｄをアースから切り離してアドレス共振電源回路４０に接続する。また、これと同時にアドレス共振電源回路４０のスイッチＳ４２をオフからオンに切り換える。
【００２９】
スイッチＳ４２がオンすると、直流電源Ｂ１の電圧Ｖａ／２がチャージポンプダイオードＤ４１を介してチャージポンプコンデンサＣ４１に印加される。このため、チャージポンプコンデンサＣ４１が充電され、チャージポンプコンデンサＣ４１の両端子間電圧はＶａ／２となる。またこのとき、直流電源Ｂ４１はチャージポンプダイオードＤ４１、回収コイルＬ４１およびスイッチＳ３１を介して列電極Ｄに接続される。このため、放電セルの負荷容量Ｃｐと回収コイルＬ４１との共振により列電極Ｄの電位（図２に示すＡ点の電位）がアース電位からＶａに遷移する（図６）。
【００３０】
次に、時刻ｔ＝ｔ２では、スイッチＳ４１をオフからオンに、スイッチＳ４２をオンからオフに、スイッチＳ４３をオフからオンに、それぞれ切り換える。これにより、スイッチＳ４１を介して直流電源Ｂ４１とチャージポンプコンデンサＣ４１とが直列に接続されるとともに、整流ダイオードＤ４２、スイッチＳ４３およびスイッチＳ３１を介して、列電極ＤがチャージポンプコンデンサＣ４１の正電極に接続される。このため、列電極Ｄの電位は、直流電源Ｂ４１の電圧Ｖａ／２と、チャージポンプコンデンサＣ４１の充電電圧Ｖａ／２とを加算した電圧Ｖａに固定される（図６）。
【００３１】
次に、時刻ｔ＝ｔ３では、スイッチＳ３１をオンからオフに、スイッチＳ４１をオンからオフに、スイッチＳ４２をオフからオンに、スイッチＳ４３をオンからオフに、それぞれ切り換える。これにより、スイッチＳ４２、チャージポンプコンデンサＣ４１、回収コイルＬ４１およびダイオードＤ３１を介して列電極Ｄがアース電位に接続されるため、放電セルの負荷容量Ｃｐと回収コイルＬ４１との共振により列電極Ｄの電位がＶａからアース電位に遷移する（図６）。
【００３２】
時刻ｔ＝ｔ４では、スイッチＳ３２をオフからオンに切り換えることにより、列電極Ｄを接地して列電極Ｄの電位をアース電位に固定する。また、スイッチＳ４２をオンからオフに切り換えて、チャージポンプコンデンサＣ４１をアースから切り離す。
【００３３】
このように、スキャンドライバ２５による走査パルスのタイミングに合わせてデータパルスが与えられた放電セルが、選択的に非発光セルに設定される。
【００３４】
上記のように本実施形態では、出力電圧がＶａ／２である直流電源Ｂ４１を用いて、列電極Ｄに印加するデータパルスの電圧Ｖａを生成している。このため、アドレス共振電源回路４０を構成する各部品として、耐圧の低い部品を使用することができる。例えば、チャージポンプコンデンサＣ４１の耐圧はＶａ／２で足りる。スイッチＳ４１およびスイッチＳ４２として使用するスイッチング素子（例えば、ＭＯＳ−ＦＥＴ）にかかる電圧はＶａ／２以下であり、これらの素子として耐圧の低いものを使用できる。また、スイッチＳ４１には損失を補充するための電流が流れるのみであるため、スイッチＳ４１として小電力用のスイッチング素子を使用できる。
【００３５】
また、本実施形態では、回収コイルＬ４１と放電セルの負荷容量Ｃｐとの共振を利用しているため、電源効率が高く消費電力を抑制できる。
【００３６】
さらに、本実施形態では、整流ダイオードＤ４２による整流のリップルは、回収コイルＬ４１により効果的に抑制されるため、リップルに関してコンデンサＣ４２を大容量にする必要はない。また、コンデンサＣ４２は回収損失の補充とデータパルス出力時の電荷の供給のみを受け持つため、結局、コンデンサＣ４２の電気容量はごく小さな値で足りる。
【００３７】
次に、サステイン期間（図３および図４）では、サステインドライバ２１およびサステインドライバ２３において、ＸサステインパルスおよびＹサステインパルスをそれぞれ発生させる。
【００３８】
図５に示すように、サステインドライバ２１では、スイッチＳＸ−Ｕ１をオン、スイッチＳＸ−Ｄ１、スイッチＳＸ−Ｄ２およびスイッチＳＸ−Ｇをそれぞれオフする。この結果、スイッチＳＸ−Ｕ１のみがオンした状態となる。このため、コンデンサＣ３に蓄積されていた電荷に基づく電流が、コイルＬ５、ダイオードＤ５、スイッチＳＸ−Ｕ１および行電極Ｘを介して放電セルの行電極の電極間容量Ｃｐに流れ込むため、行電極Ｘの電位が上昇する。次に、スイッチＳＸ−Ｕ２をオンすると、コンデンサＣ４に蓄積されていた電荷に基づく電流が、コイルＬ７、ダイオードＤ７およびスイッチＳＸ−Ｕ２を介して行電極Ｘに流れ込み行電極Ｘの電位がさらに上昇する。次に、スイッチＳＸ−Ｂをオンすることにより、行電極Ｘの電位をＶｓに固定する。次に、スイッチＳＸ−Ｕ１、スイッチＳＸ−Ｕ２およびスイッチＳＸ−Ｂをオフし、スイッチＳＸ−Ｄ２をオンする。この結果、スイッチＳＸ−Ｄ２のみがオンした状態となる。このため、行電極の電極間容量に蓄積されていた電荷に基づく電流が、行電極Ｘ、コイルＬ８、ダイオードＤ８およびスイッチＳＸ−Ｄ２を介してコンデンサＣ４に流れ込むため、行電極Ｘの電位が下降する。次に、スイッチＳＸ−Ｄ１をオンすると、上記電荷に基づく電流が、行電極Ｘ、コイルＬ６、ダイオードＤ６およびスイッチＳＸ−Ｄ１を介してコンデンサＣ３に流れ込むため、行電極Ｘの電位がさらに下降する。最後にスイッチＳＸ−Ｇをオンすることで、行電極Ｘの電位を０Ｖに固定する。
【００３９】
行電極Ｘの電位が０Ｖに固定された後、サステインドライバ２３では、スイッチＳＹ−Ｕ１をオン、スイッチＳＹ−Ｄ１、スイッチＳＹ−Ｄ２およびスイッチＳＹ−Ｇをそれぞれオフする。この結果、スイッチＳＹ−Ｕ１のみがオンした状態となる。このため、コンデンサＣ１に蓄積されていた電荷に基づく電流が、コイルＬ１、ダイオードＤ１、スイッチＳＹ−Ｕ１および行電極Ｙを介して行電極の電極間容量Ｃｐに流れ込むため、行電極Ｙの電位が上昇する。次に、スイッチＳＹ−Ｕ２をオンすると、コンデンサＣ２に蓄積されていた電荷に基づく電流が、コイルＬ３、ダイオードＤ３およびスイッチＳＹ−Ｕ２を介して行電極Ｙに流れ込み行電極Ｙの電位がさらに上昇する。次に、スイッチＳＹ−Ｂをオンすることにより、行電極Ｙの電位をＶｓに固定する。次に、スイッチＳＹ−Ｕ１、スイッチＳＹ−Ｕ２およびスイッチＳＹ−Ｂをオフし、スイッチＳＹ−Ｄ２をオンする。この結果、スイッチＳＹ−Ｄ２のみがオンした状態となる。このため、行電極の電極間容量に蓄積されていた電荷に基づく電流が、行電極Ｙ、コイルＬ４、ダイオードＤ４およびスイッチＳＹ−Ｄ２を介してコンデンサＣ２に流れ込むため、行電極Ｙの電位が下降する。次に、スイッチＳＹ−Ｄ１をオンすると、上記電荷に基づく電流が、行電極Ｙ、コイルＬ２、ダイオードＤ２およびスイッチＳＹ−Ｄ１を介してコンデンサＣ１に流れ込むため、行電極Ｙの電位がさらに下降する。最後にスイッチＳＹ−Ｇをオンすることで、行電極Ｙの電位を０Ｖに固定する。
【００４０】
以上の動作を繰り返すことにより、図５に示すような波形のＸサステインパルスおよびＹサステインパルスを交互に発生させ、アドレス期間において選択された放電セル、すなわち発光セルのみを所定回数発光させる。
【００４１】
以上説明したように、本実施形態のプラズマディスプレイパネル駆動装置１００は、直流電源Ｂ４１と、直流電源Ｂ４１により充電可能なチャージポンプコンデンサＣ４１と、放電セルの負荷容量と共振可能な回収コイルＬ４１と、回路の接続状態を切り換えるスイッチＳ４１〜Ｓ４３を備え、スイッチＳ４１〜Ｓ４３は、チャージポンプコンデンサＣ４１を直流電源Ｂ４１により充電するとともに、回収コイルＬ４１と放電セルの負荷容量との共振により出力電圧を遷移させる第１の状態と、第１の状態において充電されたチャージポンプコンデンサＣ４１を直流電源Ｂ４１の出力と直列に接続して出力電圧を直流電源Ｂ４１の電源電圧の２倍に固定する第２の状態と、回収コイルＬ４１と放電セルの負荷容量との共振により出力電圧を遷移させる第３の状態と、の間で回路の接続状態を切り換えている。
【００４２】
このため、出力電圧がＶａ／２である直流電源Ｂ４１を用いて、列電極Ｄに印加するデータパルスに必要な電圧Ｖａを生成することができるので、アドレス共振電源回路４０を構成する各部品として、耐圧の低い部品を使用することができる。また、回収コイルＬ４１と放電セルの負荷容量Ｃｐとの共振を利用しているため電源効率が高く、消費電力を抑制できる。
【００４３】
なお、上記実施形態および特許請求の範囲の記載について、直流電源Ｂ４１が「直流電源」に、チャージポンプコンデンサＣ４１が「キャパシティ」に、回収コイルＬ４１が「インダクタンス」に、スイッチＳ４１〜Ｓ４３が「切り替え手段」に、整流ダイオードＤ４２およびコンデンサＣ４２は「整流回路」に、それぞれ対応する。
【００４４】
上記実施形態では、プラズマディスプレイパネルの駆動装置への適用について例示したが、本発明による電源装置は、他の種々の表示パネルを駆動する表示パネル駆動装置に適用できるほか、表示パネル駆動装置以外のあらゆる装置に適用できる。
【図面の簡単な説明】
【図１】本実施形態のプラズマディスプレイパネル駆動装置１００の構成を示す回路図。
【図２】プラズマディスプレイパネル駆動装置１００により駆動されるプラズマディスプレイパネルの構成を示す図。
【図３】１フィールドの構成を示す図。
【図４】１サブフィールド内の駆動パルスを示す図。
【図５】駆動パルスを発生させるための動作を示すタイミングチャート。
【図６】アドレス共振電源回路の各スイッチの切り換えタイミングとデータパルスの出力タイミングの関係を示す図。
【符号の説明】
Ｂ４１  直流電源
Ｃ４１  チャージポンプコンデンサ（キャパシティ）
Ｃ４２  コンデンサ（整流回路）
Ｄ４２  整流ダイオード（整流回路）
Ｌ４１  回収コイル（インダクタンス）
Ｓ４１〜Ｓ４３  スイッチ（切り替え手段）
【図１】
2004274827.tif 000003
【図２】
2004274827.tif 000004
【図３】
2004274827.tif 000005
【図４】
2004274827.tif 000006
【図５】
2004274827.tif 000007
【図６】
2004274827.tif 000008